【手続補正書】
【提出日】平成18年11月15日(2006.11.15)
【手続補正１】
【補正対象書類名】明細書
【補正対象項目名】特許請求の範囲
【補正方法】変更
【補正の内容】
【特許請求の範囲】  【請求項１】  安全デジタルカオス通信のための方法であって、  ａ）情報をエンコードする方法であって、      メッセージビットストリームを得るステップと、      第１カオスシステムに一連の断続的制御を適用して、メッセージビットストリームを生成させるステップと、      断続的制御の適用に基づき、制御／非制御ビットストリームを生成し、      制御／非制御制御ビットストリームの前に同期ビットストリームを付加し、それにより、伝送ビットストリームを生成するステップとを含む情報をエンコードする方法と、  ｂ）伝送ビットストリーム伝送するステップと、  ｃ）情報をデコードする方法であって、      伝送ビットストリームを得るステップと、      伝送ビットストリームから同期伝送ビットストリームを抽出し、第２カオスシステムに同期ビットストリームを適用し、第１カオスシステムに同期させるステップと、      伝送ビットストリームから制御／非制御ビットストリームを抽出するステップと、      制御／非制御ビットストリームによって示されているように、第２カオスシステムに断続的制御を適用し、メッセージビットストリームを生じさせるステップを含む、情報をデコードする方法、を含む方法。  【請求項２】  請求項１に記載の安全デジタルカオス通信のための方法において、更に、  ａ）１又はそれ以上の回数情報をエンコードする方法を繰り返し、  ｂ）１又はそれ以上の回数情報をデコードする方法を繰り返すステップを含む方法。  【請求項３】  請求項１に記載の安全デジタルカオス通信のための方法において、第１カオスシステムが一連の微分方程式によって定義される方法。  【請求項４】  請求項１記載の安全デジタルカオス通信のための方法において、第１カオスシステムが写像関数によって定義される方法。  【請求項５】  請求項１記載の安全デジタルカオス通信のための方法において、第１カオスシステムが電気回路によって定義される方法。  【請求項６】  請求項１記載の安全デジタルカオス通信のための方法において、第１カオスシステムが光学装置の構成によって定義される方法。  【請求項７】  安全デジタルカオス通信のシステムであって、  ａ）情報をエンコードするシステムであって、      メッセージビットストリームを得るための手段と、      第１カオスシステムに一連の断続的制御を適用して、メッセージビットストリームを生成させる手段と、      断続的制御の適用に基づき、制御／非制御ビットストリームを生成する手段と、      制御／非制御制御ビットストリームの前に同期ビットストリームを付加し、それにより、伝送ビットストリームを生成する手段と、を含む情報をエンコードするシステムと、  ｂ）伝送ビットストリーム伝送するためのシステムと、  ｃ）情報をデコードするためのシステムであって、      伝送ビットストリームを得るための手段と、      伝送ビットストリームから同期伝送ビットストリームを抽出し、第２カオスシステムに同期ビットストリームを適用し、第１カオスシステムに同期させるための手段と、      伝送ビットストリームから制御／非制御ビットストリームを抽出する手段と、      制御／非制御ビットストリームによって示されているように、第２カオスシステムに断続的制御を適用し、���ッセージビットストリームを生じさせるための手段とを含む、情報をデコードするためのシステム、を含むシステム。  【請求項８】  請求項７に記載の安全デジタルカオス通信のためのシステムにおいて、第１カオスシステムが一連の微分方程式によって定義されるシステム。  【請求項９】  請求項７記載の安全デジタルカオス通信のためのシステムにおいて、第１カオスシステムが写像関数によって定義されるシステム。  【請求項１０】  請求項７記載の安全デジタルカオス通信のためのシステムにおいて、第１カオスシステムが電気回路によって定義されるシステム。  【請求項１１】  請求項７記載の安全デジタルカオス通信のためのシステムにおいて、第１カオスシステムが光学装置の構成によって定義されるシステム。  【請求項１２】  安全デジタルカオス通信のためのシステムであって、  ａ）情報をエンコードするためのシステムであって、      メッセージビットストリームのソースと、      第１カオスシステムを制御し、制御／非制御ビットストリーム及び前に付加された同期ビットストリームを生成するための送信機エンコーダとを含む、情報をエンコードするためのシステムと、  ｂ）制御／非制御ビットストリームと前に付加された同期ビットストリームとを伝送するための送信機エンコーダと、  ｃ）情報をデコードするためのシステムであって、      制御／非制御ビットストリーム及び前に付加された同期ビットストリームのソースと、      制御／非制御ビットストリーム及び前に付加された同期ビットストリームを抽出し、第２カオスシステムを制御する受信機デコーダと、を含むシステム。    【請求項１３】  情報の安全な伝達方法であって、  ａ．少なくとも１つの初期化コードをカオスシステムに適用することにより、該カオスシステムを初期化するステップと、  ｂ．前記カオスシステムに少なくとも１つの制御を適用することにより、前記情報のデジタル表示に関連する位相空間軌道を、前記カオスシステムに推測させるステップと、  ｃ．前記少なくとも１つの初期化コード及び前記少なくとも１つの制御を含む、前記カオスシステムのダイナミックスを決定するには不十分な信号を伝達するステップと、を含む方法。    【請求項１４】  情報の安全なエンコード方法であって、  ａ．少なくとも１つの初期化コードをカオスシステムに適用することにより、該カオスシステムを初期化するステップと、  ｂ．前記カオスシステムに少なくとも１つの制御を適用することにより、前記情報のデジタル表示に関連する位相空間軌道を、前記カオスシステムに推測させるステップと、  ｃ．前記少なくとも１つの初期化コードのデジタル表示及び前記少なくとも１つの制御のデジタル表示を含む、前記カオスシステムのダイナミックスを決定するには不十分なデジタルシーケンスを生成するステップと、を含む方法。    【請求項１５】  前記情報がメッセージ信号を含むことを特徴とする、請求項１４に記載の方法。    【請求項１６】  前記位相空間軌道が周期軌道を含むことを特徴とする、請求項１４に記載の方法。    【請求項１７】  前記カオスシステムの前記位相空間軌道を摂動させるステップを含む、請求項１４に記載の方法。    【請求項１８】  前記軌道を摂動させるステップが、前記��オスシステムに加えられる電圧を変化させることを含むことを特徴とする、請求項１７に記載の方法。    【請求項１９】  前記軌道を摂動させるステップが、前記カオスシステムに加えられる電流を変化させることを含むことを特徴とする、請求項１７に記載の方法。    【請求項２０】  前記位相空間軌道がアトラクタを含むことを特徴とする、請求項１４に記載の方法。    【請求項２１】  前記アトラクタがローブを含むことを特徴とする、請求項２０に記載の方法。    【請求項２２】  前記位相空間軌道の少なくとも一部分が、２進数に関連付けられていることを特徴とする、請求項１４に記載の方法。    【請求項２３】  前記位相空間軌道の少なくとも一部分が、連続的であることを特徴とする、請求項１４に記載の方法。    【請求項２４】  前記位相空間軌道の少なくとも一部分が、不連続であることを特徴とする、請求項１４に記載の方法。    【請求項２５】  安全に伝達された情報を再生する方法であって、  ａ．それぞれ第一のカオスシステムに関連付けられた、少なくとも１つの初期化コード及び少なくとも１つの制御を含む信号を受信するステップと、  ｂ．前記少なくとも１つの初期化コードを第二のカオスシステムに適用することにより、前記第一のカオスシステムのダイナミックスと基本的に同一のダイナミックスを有する、前記第二のカオスシステムを初期化するステップと、  ｃ．前記第二のカオスシステムに前記少なくとも１つの制御を適用することにより、前記情報に関連する位相空間軌道を、前記第二のカオスシステムに推測させるステップと、  ｄ．前記第二のカオスシステムにより推測された前記位相空間軌道から、前記情報を再生するステップと、を含む方法。    【請求項２６】  第一のカオスシステムによって、少なくとも部分的に安全にエンコードされた情報を再生する方法であって、  ａ．前記第一のカオスシステムに予め適用された少なくとも１つの初期化コードを、第二のカオスシステムに適用することにより、前記第一のカオスシステムのダイナミックスと基本的に同一のダイナミックスを有する、前記第二のカオスシステムを初期化するステップと、  ｂ．前記第一のカオスシステムに予め適用された少なくとも１つの制御を、第二のカオスシステムに適用することにより、前記情報に関連する位相空間軌道を、前記第二のカオスシステムに推測させるステップと、  ｃ．前記第二のカオスシステムにより推測された前記位相空間軌道から、前記情報を再生するステップと、を含む方法。    【請求項２７】  前記情報がメッセージ信号を含むことを特徴とする、請求項２６に記載の方法。    【請求項２８】  前記第二のカオスシステムの前記位相空間軌道を摂動させるステップを含む、請求項２６に記載の方法。    【請求項２９】  前記軌道を摂動させるステップが、前記第二のカオスシステムに加えられる電圧を変化させることを含むことを特徴とする、請求項２８に記載の方法。    【請求項３０】  前記軌道を摂動させるステップが、前記第二のカオスシステムに加えられる電流を変化させることを含むことを特徴とする、請求項２８に記載の方法。    【請求項３１】  前記位相空間軌道が周期軌道を含むことを特徴とする、請求項２６に記載の方法。    【請求項３２】  前記位相空間軌道がアトラクタを含むことを特徴とする、請求項２６に記載の方法。    【請求項３３】  前記アトラクタがローブを含むことを特徴とする、請求項３２に記載の方法。    【請求項３４】  前記位相空間軌道の少なくとも一部分が、２進数に関連付けられていることを特徴とする、請求項２６に記載の方法。    【請求項３５】  前記位相空間軌道の少なくとも一部分が、連続的であることを特徴とする、請求項２６に記載の方法。    【請求項３６】  前記位相空間軌道の少なくとも一部分が、不連続であることを特徴とする、請求項２６に記載の方法。    【請求項３７】  メッセージ情報の安全な伝達方法であって、  ａ．少なくとも１つの初期化コードを第一のカオスシステムに適用することにより、前記カオスシステムを初期化するステップと、  ｂ．前記第一のカオスシステムに少なくとも１つの制御を適用することにより、前記メッセージ情報のデジタル表示に関連する位相空間軌道を、前記第一のカオスシステムに推測させるステップと、  ｃ．前記少なくとも１つの初期化コード及び前記少なくとも１つの制御を含む、前記第一のカオスシステムのダイナミックスを決定するには不十分な信号を、前記第一のカオスシステムのダイナミックスと基本的に同一のダイナミックスを有する、前記第二のカオスシステムに伝達するステップと  ｄ．前記伝達された信号に含まれる前記少なくとも１つの初期化コードを、第二のカオスシステムに適用することにより、前記第二のカオスシステムを初期化するステップと、  ｅ．前記第二のカオスシステムに、前記伝達された信号に含まれる前記少なくとも１つの制御を適用することにより、前記メッセージ情報に関連する位相空間軌道を、前記第二のカオスシステムに推測させるステップと、  ｆ．前記第二のカオスシステムにより推測された前記位相空間軌道から、前記メッセージ情報を再生するステップと、を含む方法。